(57)【要約】【課題】開封後における被収容物の保管性に優れたブリスター包装容器の提供。【解決手段】被収容物Ｗを収容するための凹部５が一方の面に形成されたカバー体１と、前記凹部５を閉塞すべくカバー体１の一方の面に接着されたシート体とを備え、カバー体１には折曲部６が形成され、シート体の剥離後において、カバー体１を折曲部６に沿って折り畳むことにより、カバー体１は被収容物Ｗを収容可能なケースとなる。【選択図】　　　図１
2004123111.tif 000002
【特許請求の範囲】
【請求項１】
被収容物を収容するための凹部が一方の面に形成されたカバー体と、前記凹部を閉塞すべくカバー体の一方の面に接着されたシート体とを備え、カバー体には折曲部が形成され、シート体の剥離後において、カバー体を折曲部に沿って折り畳むことにより、カバー体は被収容物を収容可能なケースとなることを特徴とするブリスター包装容器。
【請求項２】
シート体は、折曲部を跨ぐようにカバー体に接着されている請求項１記載のブリスター包装容器。
【発明の詳細な説明】
【０００１】
【発明の属する技術分野】
本発明は、ブリスターパックとも称されるブリスター包装容器に関する。
【０００２】
【従来の技術】
一般に、ブリスターパックは、被収容物を収容するための凹部が形成されたカバー体と、凹部を閉塞すべくカバー体に接着されたシート体とから構成されている。
そして、開封にあたっては、シート体をカバー体から剥して凹部を開口させ、凹部に収容されている被収容物を取り出すことになる。
また、シート体にプラスチックフィルムを使用したものについては特開平９−２４９２５５号公報所載の如く公知である。
【０００３】
【特許文献１】
特開平９−２４９２５５号公報
【０００４】
【発明が解決しようとする課題】
しかしながら、このような従来のブリスターパックにおいては、シート体を一旦剥がして開封した後においては、被収容物を全て使い切った場合はよいが、一部が残ったりした場合には、その保管に問題があった。
【０００５】
そこで本発明は、上記従来の問題点に鑑みてなされ、開封後における被収容物の保管性に優れたブリスター包装容器を提供することを課題とする。
【０００６】
【課題を解決するための手段】
本発明は、上記課題を解決すべくなされたものであり、本発明に係るブリスター包装容器は、被収容物を収容するための凹部が一方の面に形成されたカバー体と、前記凹部を閉塞すべくカバー体の一方の面に接着されたシート体とを備え、カバー体には折曲部が形成され、シート体の剥離後において、カバー体を折曲部に沿って折り畳むことにより、カバー体は被収容物を収容可能なケースとなることを特徴とする。
ここで、シート体には、台紙と称される紙製のものの他、プラスチックフィルムも含まれる。また、シート体の剥離には、例えば接着剤と共に台紙が薄膜状に残存するような剥離態様も含まれる。
【０００７】
該構成のブリスター包装容器にあっては、開封前においてはカバー体の凹部はシート体によって閉塞されている。そして、シート体を剥離して開封することにより凹部から被収容物を取り出して使用することができるが、被収容物を一度に使用しない場合等においては、カバー体を折り畳んで形成したケースにその被収容物を収容して保管することができる。
【０００８】
また、シート体は、折曲部を跨ぐようにカバー体に接着されていることが好ましい。上述したように、本発明に係るブリスター包装容器は、カバー体に折曲部が形成されていて、開封後にその折曲部に沿ってカバー体を折り畳む構成であるが、折曲部を跨ぐようにしてシート体がカバー体に接着されていると、開封前の状態において、カバー体の折れ曲がりがシート体によって抑制される。
【０００９】
【発明の実施の形態】
以下、本発明のブリスター包装容器の一実施形態について図１乃至図４を参酌しつつ説明する。
本実施形態におけるブリスター包装容器は、被収容物Ｗを収容するための凹部５が裏面（一方の面）に形成されたカバー体１と、凹部５を閉塞すべくカバー体１の裏面に接着されたシート体２とを備えている。
【００１０】
カバー体１は、透明又は半透明のプラスチックシートから構成されて被収容物Ｗを外部から目視可能に形成されている。該カバー体１は、プラスチックシートをシート成形することによって形成されている。シート成形には、真空成形や圧空成形等があり、これらのシート成形によってシートに凹凸を形成することで、被収容物Ｗを収容するための凹部５が形成される。
【００１１】
該カバー体１は、全体として縦方向に長い長方形に形成され、その長手方向（縦方向）略中央に、カバー体１を二つ折りにするための折曲罫線６（折曲部）がカバー体１を横断するように形成されている。該折曲罫線６としては、ミシン目状のものやハーフカットのものなど種々の公知のものが使用される。また、カバー体１は、この折曲罫線６によって上下に区画され、下側部分は前記凹部５を有する本体部３で、上側部分は後述するように開封後において凹部５を閉塞するための蓋部４である。即ち、カバー体１は、凹部５を有する本体部３と、折曲罫線６を介して本体部３から延設された蓋部４とからなる。
【００１２】
また、裏面に開口する凹部５は、被収容物Ｗの外形に略適合する形状であり、本実施形態においては、矩形の被収容物Ｗを収容すべく平面視矩形に形成されている。更に、凹部５の側壁には、被収容物Ｗを係止してその収容状態を維持するために内方に突出した凸部７が設けられている。本実施形態の場合には、図１及び図２の如く、凸部７は側壁のうち上部壁と下部壁に互いに対向して上下一対形成されている。該凸部７も凹部５を形成する際に同時にシート成形により形成される。また、本体部３の一つの角部には、平坦部から段差部８ａを介して一段高く形成された開封開始部８が設けられている。図１の場合には開封開始部８は平面視三角状に形成されている。該開封開始部８は一段高く形成されているためその裏面にはシート体２は接着されず、シート体２と開封開始部８との間には所定の隙間が形成される。従って、開封時にシート体２を摘んでカバー体１からの剥離を開始できる。
【００１３】
一方、蓋部４には、図３のように開封後においてカバー体１を二つ折りにして本体部３と重ね合わせられた際に凹部５と対向する位置に、表示領域９が設けられている。尚、図３は、蓋部４側から見た状態を示している。該表示領域９は例えば被収容物Ｗの商品名等を表示するために使用される。本実施形態の場合、表示領域９に対応したシート体２の位置に商品名等が印刷され、透明なカバー体１を介してその商品名等が目視可能になっている。尚、表示領域９を他の領域から区画することにより表示領域９が外観上目立つようにするために、表示領域９の周囲には裏面に開口した凹溝１０が形成されている。従って、蓋部４の表面には凹溝１０に対応した凸条が形成されている。尚、凹溝１０を設けることによって、カバー体１の表示領域９の湾曲や変形を防止することができるという補強効果が得られる。該凹溝１０もシート成形により形成される。
【００１４】
また、蓋部４の上部には、吊り下げ部となる吊下片１１が突設され、該吊下片１１によりブリスター包装容器を吊り下げて陳列できる。そして、前記本体部３の下部には、図３及び図４のように、開封後においてカバー体１を二つ折りにした際に、前記吊下片１１が係止可能な係止片１２が形成されている。具体的には、本体部３の下部に所定の切欠部１３を形成することにより、切欠部１３の側方に係止片１２が形成されている。そして、吊下片１１を係止片１２に係止させることで二つ折り状態が維持される。即ち、蓋部４の吊下片１１と本体部３の係止片１２とから、カバー体１の折り畳み状態を維持するための保持手段が構成されている。
【００１５】
かかるカバー体１の裏面のうち、シート成形によって凹凸が形成されずに残った平坦部に、前記シート体２が接着されてカバー体１の凹部５を覆っている。詳細には、カバー体１の裏面全体を覆うようにシート体２が接着されている。上述した表示領域９も平坦部であるため、その裏面にもシート体２が接着されている。即ち、シート体２とカバー体１とは互いに外形形状が略一致する。例えば、カバー体１にシート体２を接着した後に、吊下片１１等を形成すべく、シート体２と共にカバー体１の外形形状が打ち抜き等される。
但し、吊下片１１や係止片１２の裏面にはシート体２を接着しないようにしてもよい。即ち、カバー体１よりも小さいシート体２でもよい。また、表示領域９（前記凹溝１０の内側）を接着することなく周囲のみ接着してもよい。
【００１６】
また、シート体２にはミシン目等の切り取り線１４が形成されている。該切り取り線１４は、前記折曲罫線６と略同じ位置若しくは折曲罫線６よりも上側の位置に形成され、折曲罫線６と同様にシート体２を横断している。従って、シート体２も切り取り線１４によって上下二つの部分に区画されている。これは、開封時において、凹部５を覆っている下側部分２ｂのみを上側部分２ａから切り離して剥離することができるようにするためである。
【００１７】
ここで、カバー体１を構成するプラスチックシートとしては、例えば、ポリエチレンテレフタレート（ＰＥＴ）等のポリエステルからなり硬質で熱成形可能な透明シートを用いることができ、特に未延伸の非結晶性ポリエステルシート（Ａ−ＰＥＴ）が好ましいが、その他、ポリプロピレン、ポリ塩化ビニル、ポリスチレン等からなる単層または多層のプラスチックシート等を採用し得る。尚、厚さは、０．１ｍｍ乃至１．０ｍｍ、好ましくは０．２ｍｍ乃至０．５ｍｍである。
【００１８】
一方、シート体２は、柔軟性を有する種々の単層、多層のプラスチックフィルムからなるが、好ましくはカバー体１にヒートシールにより接着される。その場合、シーラント層をシート体２に備えることが好ましい。例えば、カバー体１を構成するプラスチックシートがＰＥＴ（Ａ−ＰＥＴ等）である場合、印刷により表示部が形成された基材としての二軸延伸ＰＥＴフィルムやポリエステル製合成紙に、ポリエステル系のシーラント層を積層したものが、シート体２として使用できる。また、剥離可能にヒートシールするために、シート体２を構成するプラスチックフィルムとして、二軸延伸ＰＥＴフィルムや二軸延伸ポリプロピレンフィルム等からなるフィルム基材に、イージーピールシーラント層を積層した多層フィルムを採用することができる。該イージーピールシーラント層は、ヒートシール後に剥離可能あるいは破壊可能となるシーラント層であり、ポリプロピレン系樹脂にポリエチレン系樹脂やポリスチレン系樹脂等が含有された単層のものや、１乃至数μｍの層間剥離可能な接着層を積層した多層のものである。このイージーピールシーラント層により、ヒートシール後において剥離可能となる。
また、シーラント層としては、エチレン系やビニル系樹脂等のホットメルトをコーティングしたものでもよい。また、剥離性を良くするために格子模様や散点状にヒートシールしてもよい。シート体２に形成する印刷は、合成紙等の不透明のフィルム基材の場合は両面に、透明フィルムの場合は片面に、表側表示と裏側表示を白色等の隠蔽層を介して施すとよい。
【００１９】
本実施形態のブリスター包装容器は以上のように構成され、凹部５に被収容物Ｗが収容された後にカバー体１の裏面にシート体２が接着される。
ここで、被収容物Ｗとしては種々のものがあるが、一度に全て使い切ることのないものを収容するのに適している。一個ずつ使用するものを複数個収容したり、あるいは、個数としては一個であるが使用に際して中身を少量ずつ使用されるものなどがある。例えば、一回分ずつ分包された薬剤包装体や粒状の菓子等を複数収容することができる。それ以外にも、例えば、使用の都度取り出して使用する工具や雑貨等を収容するのにも適している。特に、表示面積の必要な医薬品等に適している。
【００２０】
そして、開封に際しては、開封開始部８の裏側に位置するシート体２の部分を掴んでシート体２を剥離するが、上述したようにシート体２には切り取り線１４が設けられているので、切り取り線１４でシート体２の下側部分２ｂのみを切り離して剥離することができる。該シート体２の下側部分２ｂの剥離により凹部５は開口し、収容された被収容物Ｗを取り出すことが可能となる。例えば、図２のように被収容物Ｗが三個収容されている場合、開封後において一個取り出して使用した後は、残りの二個を保管する必要がある。その場合、カバー体１を裏面が内側となるようにして折曲罫線６に沿って二つ折りに折り畳む。即ち、蓋部４を折曲罫線６を回動支点として本体部３側に折り畳むことにより、本体部３と蓋部４とが互いに重なり合い、蓋部４によって凹部５が閉塞される。このようにして開封後のカバー体１それ自体が被収容物Ｗを収容可能な折り畳み式のケースとなる。
【００２１】
従って、開封後のカバー体１によって形成されたケースに残った二個を収容して保管することができ、また、その状態で携帯することもできる。その際、吊下片１１を係止片１２に係止させることにより二つ折り状態は確実に維持される。また、折り畳み式であるのでコンパクトであり保管や携帯において場所をとらない。
【００２２】
更に、開封後もシート体２の上側部分２ａはカバー体１に残存するので、上側部分２ａ（特に表示領域９）に印刷により設けられた商品名等の表示部は、開封後もそのままケースに残り、従って保管に際して便利である。
【００２３】
また、カバー体１を二つ折りにする構成であるので、折曲罫線６は一カ所で済み、従って、開封前の状態における容器の剛性を確保しやすいという利点がある。しかも、折曲罫線６を跨ぐようにしてシート体２が接着されているので、開封前におけるカバー体１の折れ曲がりをシート体２によって抑制することができる。尚、折曲罫線６の近傍領域にはシート体２を接着しないようにすることが好ましく、それにより剥離の際に折曲罫線６が切断することを抑制できる。
【００２４】
また更に、シート体２の接着により凹部５が閉塞された構成であるので、例えば、着脱自在な蓋体により凹部５が閉塞された構成とは異なり、いわゆるタンパー性が確実に確保される。
【００２５】
尚、本実施形態では、吊下片１１と係止片１２とから保持手段を構成したが、例えば、図５乃至図７のような係止構造を保持手段として採用してもよい。即ち、図５乃至図７に示すように、蓋部４の上部には吊り下げ部となる吊下用貫通孔２０が形成され、本体部３の下部には係止用突片２１が形成されている。そして、開封後においてカバー体１を二つ折りにした際に、吊下用貫通孔２０に係止用突片２１を差し込んで係止させることで二つ折り状態が維持される。このように蓋部４の吊下用貫通孔２０と本体部３の係止用突片２１とから保持手段を構成することもできる。尚、図６は、ケースを本体部３側から見た状態を示している。
【００２６】
また、図８のように、保持手段として蓋部４と本体部３のうちの一方に嵌合凹部２２を他方には嵌合凸部２３を形成し、両者の嵌合により折り畳み状態を維持してもよい。
【００２７】
尚、図７に示すように、シート体２全体を剥離して折り畳むようにしてもよい。この場合は切り取り線１４はなくてもよい。また、凸部７によって係止された被収容物Ｗの取り出し易さを考慮して、図５及び図６のように、略矩形の凹部５の四隅５ａを外方に僅かに膨出させてもよい。
【００２８】
尚、蓋部４にも凹部を形成すれば、本体部３の凹部５と蓋部４の凹部とを合わせることでケースの収容空間を増大できる。
【００２９】
更に、上記実施形態では二つ折りの構成であったが、例えば、一対の蓋部４によって本体部３の凹部５を閉塞するような三つ折りタイプとするなど、折り畳みの構成も適宜設計変更可能である。但し、折曲部の数が少ないほど開封前の状態の剛性を確保しやすいため、上述したような二つ折りタイプとすることが好ましい。
【００３０】
また、シート体２として紙製のものを使用してもよいが、プラスチックフィルムや合成紙（特にポリエステル系合成紙）を使用すれば、開封後にカバー体１にシート体２の一部が薄膜状に残存することがなく良好な外観体裁が得られる。開封後もカバー体１からケースを形成して保管、携帯する構成であるため、開封後直ちに破棄される従来構成に比して、良好な外観体裁が得られることの利点は大きい。
【００３１】
その他、折曲罫線６により折曲部を構成したが、断面視Ω状等のヒンジ形状に形成された折曲部であってもよい。
【００３２】
【発明の効果】
以上のように、本発明のブリスター包装容器にあっては、開封後はカバー体がそれ自体独立した折り畳み式のケースとなるので、そのケースに被収容物を収容して保管することができ、また、折り畳み式であるためコンパクトにできて携帯性にも優れる。
【図面の簡単な説明】
【図１】本発明の一実施形態におけるブリスター包装容器を示す正面図。
【図２】同容器に被収容物を収容した状態における図１のＰ−Ｐ線断面図。
【図３】開封後にカバー体を折り畳んでケースにした状態を蓋部側から見た図。
【図４】図３のＱ−Ｑ線断面図。
【図５】他の実施形態におけるブリスター包装容器を示す正面図。
【図６】開封後にカバー体を折り畳んでケースにした状態を本体部側から見た図。
【図７】図６のＲ−Ｒ線断面図。
【図８】他の実施形態における要部の拡大断面図。
【符号の説明】
１…カバー体、２…シート体、３…本体部、４…蓋部、５…凹部、６…折曲罫線（折曲部）、７…凸部、８…開封開始部、９…表示領域、１０…凹溝、１１…吊下片、１２…係止片、１３…切欠部、１４…切り取り線、２０…吊下用貫通孔、２１…係止用突片
【図１】
2004123111.tif 000003
【図２】
2004123111.tif 000004
【図３】
2004123111.tif 000005
【図４】
2004123111.tif 000006
【図５】
2004123111.tif 000007
【図６】
2004123111.tif 000008
【図７】
2004123111.tif 000009
【図８】
2004123111.tif 000010